(57)【要約】【課題】  １個のさいころに４８の出目があるさいころを提供する。【解決手段】  正六面体を構成する六個の面の略中央にそれぞれ１個ずつ高さの等しい凸部Ａが設けてあり、正六面体を構成する１２の辺に、それぞれ１個ずつ、高さの等しい凸部Ｂが設けてある。さいころが着地する際、辺ａ１は、Ａ［ｅ］があることによって着地面に対して傾斜し、面ｅではなく辺ｂ１又は辺ｄ２のいずれかで着地する。辺ｂ１は、突起Ｂ［ｂ１］があるために着地面に対して傾斜し、辺ｂ１全体が着地面に接するのではなく辺ｃ１との交点、又はａ１の交点、のいずれかの方向に傾いて着地する。これにより、さいころの１個の面から８通りの目を読むことができ、さいころを構成する６個の面により合計４８種類の目を読むことができる。【選択図】        図５
2016154746.tif 000002
【特許請求の範囲】
【請求項１】
正六面体のさいころであって、
正六面体を構成する６個の各面の中央付近に各々凸部Ａが設けてあり、
正六面体を構成する１２個の各辺の中央付近に各々凸部Ｂが設けてあり、
前記凸部Ａが前記凸部Ｂよりも突出高さが高く、
転がされて着地面に着地したさいころの着地面に最も近い辺が着地面に対して傾斜することを特徴とするさいころ。
【請求項２】
正六面体の１個の面を構成する４個の辺に関し、各々、前記傾斜の結果上方に位置する部位と下方に位置する部位とを区別することにより１個の辺に２種類の出目が得られ、これにより１個の面に８種類の出目があることを特徴とする請求項１に記載のさいころ。
【請求項３】
内部に空洞を備える正六面体のさいころであって、
正六面体を構成する６個の各面の中央付近に外方に突出する凸部Ｃが設けてあり、
内部の空洞において正六面体の各辺の略中央付近に内方に突出する凸部Ｄが設けてあり、
さいころの内部の空洞を自由に移動する駒を備え、
転がされたさいころが着地する際、前記空洞において、前記駒が、前記正六面体を構成する各辺の中央を境にいずれか一方に偏って着地することを特徴とするさいころ。
【請求項４】
正六面体の１個の面を構成する４個の辺に関し、各々、前記駒が前記いずれか一方に偏って着地する結果、駒のある部位と駒のない部位とを区別することにより１個の辺に２種類の出目が得られ、これにより１個の面に８種類の出目があることを特徴とする請求項３に記載のさいころ。
【請求項５】
正六面体を構成する６個の各面に８種類の出目があることにより、４８種類の出目があることを特徴とする請求項２又は請求項４に記載のさいころ。
【発明の詳細な説明】
【技術分野】
【０００１】
１個のさいころに４８通りの出目があり、そのようなさいころを二個組み合わせることにより、２３０４通りの出目のあるさいころに関する。
【背景技術】
【０００２】
特許文献１には、正六面体を構成する８個の角に対し各々１個ずつ記された記号を出目とするさいころ、正六面体を構成する１２個の辺に対し各々１個ずつ記された記号を出目とするさいころ、又は正六面体を構成する６個の面を各々４個に分割して成る２４個の分割面に対し各々１個ずつ記された記号を出目とするさいころが記載されている。また、そのようなさいころを２個利用して出目を組み合わせることにより出目が５７６通りのさいころが記載されている。
【０００３】
特許文献２には、各面の中心部に周囲の稜線より高い位置に頂部を設けたさいころが記載されている（図１３）。特許文献２のさいころでは、出目は２４通りである。
【０００４】
特許文献３には、略円錐形のコマであって、円錐の稜線に突起が設けられたものが記載されている。この突起は、コマをどのような姿勢から回転させても、起き上がり動作によって突起を基準とした回転を得ることができるように設けられたものである。
【０００５】
上記いずれの文献にも、１個のさいころに４８の出目があるさいころは記載されていない。
【先行技術文献】
【特許文献】
【０００６】
【特許文献１】特開２０１２−２２８５１１公報
【０００７】
【特許文献２】特開２０１４−８３８７公報
【０００８】
【特許文献３】特開２００８−２２０４５４公報
【発明の概要】
【発明が解決しようとする課題】
【０００９】
１個のさいころに４８の出目があるさいころを提供することを課題とする。また、そのようなさいころを組み合わせて、２３０４通りの出目のあるさいころを提供することを課題とする。
【課題を解決するための手段】
【００１０】
正六面体のさいころであって、正六面体を構成する６個の各面の中央付近に各々凸部Ａが設けてあり、正六面体を構成する１２個の各辺の中央付近に各々凸部Ｂが設けてあり、前記凸部Ａが前記凸部Ｂよりも突出高さが高く、転がされて着地面に着地したさいころの着地面に最も近い辺が着地面に対して傾斜することを特徴とするさいころによって課題を解決する。
【００１１】
凸部Ａは、各面から突出していればどのような形状でも構わない。例えば、半球でもよいし、四角錐でもよい。凸部Ｂも同様に、各辺から突出していればどのような形状でも構わない。例えば、半球でもよいし、四角錐でもよい。
【００１２】
転がされたさいころが着地する際、各面の中央付近に凸部Ａがあることにより、さいころは着地面と向き合う面で着地することができず、当該着地面と向き合う面に存する凸部Ａの頂点で着地し、かつ、当該着地面と向き合う面が着地面に対して傾き、当該着地面と向き合う面を構成するいずれかの辺で着地しようとする。この、さいころが着地しようとするいずれかの辺が、上記「着地面に最も近い辺」に相当する。そして、その、着地しようとするいずれかの辺の中央付近に凸部があることにより、当該さいころは当該辺で着地することもできない。着地する際、当該辺は着地面に対して傾斜し、当該辺の両端の点のうち一方が他方に比べて下方に位置するに至る。
【００１３】
正六面体の１個の面を構成する４個の辺に関し、各々、前記傾斜の結果上方に位置する部位と下方に位置する部位とを区別することにより１個の辺に２種類の出目が得られ、これにより１個の面に８種類の出目があることを特徴とするさいころによって課題を解決する。
【００１４】
従来の正六面体のさいころにあっては、正六面体を構成する１２個の辺は、各々１個の辺に対して一通りの出目しか得られなかった。しかし当該辺が着地面に対して傾斜するために、当該辺を上方に位置する部位と下方に位置する部位とで区別することができ、その結果、当該辺から２種類の出目を得ることができる。正六面体を構成する１個の面は４個の辺を備えるため、この結果、正六面体を構成する１個の面において、辺を利用した８種類の出目を得ることができる。
【００１５】
内部に空洞を備える正六面体のさいころであって、正六面体を構成する６個の各面の中央付近に外方に突出する凸部Ｃが設けてあり、内部の空洞において正六面体の各辺の略中央付近に内方に突出する凸部Ｄが設けてあり、さいころの内部の空洞を自由に移動する駒を備え、転がされたさいころが着地する際、前記空洞において、前記駒が、前記正六面体を構成する各辺の中央を境にいずれか一方に偏って着地することを特徴とするさいころによって課題を解決する。
【００１６】
上記は、正六面体のさいころにおいて、１個の辺から２種類の出目を得る手段として、各辺の中央付近に凸部を設ける手段とは別の手段を用いている。すなわち、例えば、正六面体のさいころを、板状の素材で形成すると、さいころの内部には、正六面体のよりも一回り小さい正六面体の空所ができる。この空所を構成する１２個の辺の中央付近に、各々、凸部Ｄを設ける。なお、凸部Ｃは凸部Ａと同様に機能する。
【００１７】
転がされたさいころが着地する際、各面の中央付近に凸部Ｃがあることにより、さいころは着地面と向き合う面で着地することができず、当該着地面と向き合う面に存する凸部Ｃの頂点で着地し、かつ、当該着地面と向き合う面が着地面に対して傾き、当該着地面と向き合う面を構成するいずれかの辺で着地する。すなわち、着地時、さいころの凸部Ｃの頂点と、当該いずれかの辺とが、着地面と接している。着地の際、当該着地した辺に対応する、内部の空洞の辺に、さいころの内部の駒が着地しようとするところ、当該辺にはその略中央付近に内方に突出する凸部Ｄが設けてあるため、駒は当該辺の中央を境にいずれか一方に偏って着地する。この結果、当該辺は、「内部空所に駒がある側」と、「内部空所に駒がない側」の２種類となる。
【００１８】
正六面体の１個の面を構成する４個の辺に関し、各々、前記駒が前記いずれか一方に偏って着地する結果、駒のある部位と駒のない部位とを区別することにより１個の辺に２種類の出目が得られ、これにより１個の面に８種類の出目があることを特徴とするさいころによって課題を解決する。
【００１９】
当該辺から２種類の出目を得ることができ、また、正六面体を構成する１個の面は４個の辺を備えるため、この結果、正六面体を構成する１個の面において、辺を利用した８種類の出目を得ることができる。
【００２０】
正六面体を構成する６個の各面に８種類の出目があることにより、４８種類の出目があることを特徴とするさいころによって課題を解決する。
【００２１】
各面において辺を利用した８種類の出目があり、そのような面が６面あることにより、１個のさいころで４８種類の出目を得ることができる。
【発明の効果】
【００２２】
各面において、辺を用いた８種類の出目があり、そのような面が６面あることにより、１個のさいころで４８種類の出目を得ることができる。
【図面の簡単な説明】
【００２３】
【図１】本願実施例１に係るさいころの斜視図を示す。
【図２】本願実施例１に係るさいころの展開図を示す。
【図３】本願実施例１に係るさいころの展開図を示す。
【図４】本願実施例１に係るさいころが頂部Ａにより傾斜している状態を示す。
【図５】本願実施例１に係るさいころが頂部Ｂにより傾斜している状態を示す。
【図６】本願に係るさいころを示す。
【図７】本願実施例４に係るさいころを示す。
【図８】本願実施例４を説明するための図である。
【図９】本願実施例４を説明するための図である。
【図１０】本願実施例４を説明するための図である。
【図１１】本願実施例４を説明するための図である。
【図１２】本願実施例４を説明するための図である。
【図１３】従来例を示す。
【発明を実施するための形態】
【００２４】
［実施例１］
実施例１に係るさいころを図１〜図５に示す。
図１に示す通り、実施例１に係るさいころはａからｆの六面を備える正六面体である。図２に示す通り、六個の面(ａ、ｂ、ｃ、ｄ、ｅ、ｆ)の略中央にそれぞれ１個ずつ、高さの等しい凸部Ａ（Ａ［ａ］、Ａ［Ｂ］、Ａ［ｃ］、Ａ［ｄ］、Ａ［ｅ］、Ａ［ｆ］）が設けてある。図３に示す通り、１個の面（例えばａ）は、４個の辺（面ａについては、ａ１、ａ２、ａ３、ａ４）で囲まれている。
【００２５】
図１から図３に示す通り、正六面体を構成する１２の辺（ａ１、ａ２、ａ３、ａ４、・・（中略）・・・、ｆ１、ｆ２、ｆ３、ｆ４）には、それぞれ１個ずつ、高さの等しい凸部Ｂ（Ｂ［ａ１］、Ｂ［ａ２］、Ｂ［ａ３］、Ｂ［ａ４］、・・（中略）・・・、Ｂ［ｆ１］、Ｂ［ｆ２］、Ｂ［ｆ３］、Ｂ［ｆ４］）が設けてある。
【００２６】
図４に示す通り、さいころが着地する際、辺ａ１は、Ａ［ｅ］があることによって着地面に対して傾斜し、面ｅではなく辺ｂ１又は辺ｄ２のいずれかで着地する。辺ｂ１と辺ｄ２のいずれで着地するかは、さいころを転がす際にさいころに与えられる力の向きと大きさや着地面のわずかな傾斜の具合で決定される。図４は、辺ｂ１で着地した場合を示している。
【００２７】
この際、図５に示す通り、辺ｂ１は、突起Ｂ［ｂ１］があるために着地面に対して傾斜し、辺ｂ１全体が着地面に接するのではなく辺ｃ１との交点、又はａ１の交点、のいずれかの方向に傾いて着地する。辺ｃ１とａ１のいずれの方向に傾くかは、上記と同様、さいころを転がす際のさいころに与えられる力の向きと大きさや着地面のわずかな傾斜の具合で決定される。図４は、辺ｃ１方向に傾いて着地した場合を示している。
【００２８】
凸部Ｂは、凸部Ａよりも高さが低い。なぜならば、凸部Ｂは凸部Ａの存する面を囲む４つの辺に存するため、凸部Ｂが凸部Ａよりも高い場合、転がされたさいころが凸部Ａの存する面で着地する際に４個の凸部Ｂが着地対象の面と接し、凸部Ａが着地面に接することができないため、凸部Ａによってさいころを傾斜させることができないからである。
【００２９】
さいころが上記のように傾斜して着地することにより、目を読む際に、さいころの１個の面から８通りの目を読むことができる。すなわち、傾斜せずに着地する場合には図６に示すＳ１とＳ２を区別することができないところ、傾斜して着地することにより、Ｓ１とＳ２を区別することができ、Ｓ１からＳ８の８通りの目を読むことができる。例えば、さいころを構成する面のＳ１からＳ８に示す位置に８通りの異なる表示を付し、目を読む際に、着地した点（例えば図５の場合には辺ｂ１と辺ｃ１の交点）の側の目を読む、という規則を設けることにより、８通りの目を読むことができる。この結果、さいころを構成する６個の面により、合計４８種類の目を読むことができる。
【００３０】
［実施例２］
実施例２は図示しない。実施例２では、正六面体のさいころの六個の面の略中央にそれぞれ１個ずつ、高さの等しい凸部を設ける点は実施例１と同様であるが、１２個の辺に凸部を設けない。さいころを中空とし、さいころの内部に、さいころの中で自由に転がる駒を入れ、かつ、さいころの内側の１２個の各辺の中央付近に小さな凸部を設ける。さいころが着地する際、駒もまたさいころの内部でいずれかの位置に着地するが、凸部があるために、駒はさいころの内側の辺の左右いずれかに偏った位置に着地する。さいころの全体または一部を透明な素材で構成し、着地した駒を外部から見ることができるようにする。この結果、さいころが着地した際に、さいころの１個の辺を、「駒のある側」と「駒のない側」の二種類に区別することができ、この結果、実施例１と同様、さいころの１個の面から８通りの目を読むことができ、さいころを構成する６個の面から４８通りの目を読むことができる。
【００３１】
［実施例３］
実施例３は図示しない。実施例３では、正六面体のさいころの６個の面の略中央にそれぞれ１個ずつ高さの等しい凸部を設ける点、及び１２個の辺の略中央に高さの等しい凸部を設ける点は実施例１又は実施例２と同様である。実施例３ではさいころの内部に正六面体の空所があり、空所には液体が入れてある。液体は空所の容積のすべてを満たしておらず、少しの気体が含まれている。転がされたさいころが着地する際、さいころは、正六面体の６個の面に設けられた凸部、及び、１２個の辺に設けられた１２個の凸部によって傾斜し、いずれかの頂点が、他の頂点より下方に来るよう傾斜して停止する。その結果、さいころの頂点のうち最も上方に位置する頂点を気体が占める。さいころの一の辺を、「端部を気体が占める側」と「端部を得気体が占める側」の二種類に区別することができる。
【００３２】
［実施例４］
実施例４では、実施例１乃至実施例３に示すさいころを、２個同時に転がし、２個のさいころの目を同時に読んで２３００通りの出目を得る。実施例１乃至実施例３のさいころは、それぞれ、４８通りの出目を備えるため、そのようなさいころを２個組み合わせた場合、４８×４８＝２３０４通りの出目があることになる。しかし、人間の生活においては１０進法で計算することが必要なシーンが多いため、控除率４／２３０４（＝１／５７６）で、１０進法で用いやすい１〜２３００の出目を得る方法、すなわち２３００通りの出目を得る方法を創作した。この方法を、図７から図１０を用いて説明する。
【００３３】
図７に示すさいころは、実施例１から実施例３に示すような構成により、さいころを構成する辺に関し、１個の辺から２種類の出目を得ることができる。これにより、１個の面から辺を利用して８種類の出目を得ることができる。図７に示すさいころでは、さらに、さいころの１個の面に関し、面を構成する４個の辺のうち、一の辺の存する方向を「上」と定める。図７では、面にＮの文字が付されており、面の黒丸が付された方向を「上」と定めた。従って、この面を時計に例えれば、４個の辺は、上方の辺から右回りに、順に、0時方向、III時方向、VI時方向、IX時方向、に相当する方向に位置するといえる。４個の辺は、各々、右と左を備える。図７では、右をＲ、左をＬ、と表現した。左右は、さいころの中心から各々の辺を見る場合を仮定して、向かって左側を左、向かって右側を右とする。各辺の右と左は、実施例１乃至３に示された方法により、辺が傾斜して着地することにより区別される。このため、図７に示すさいころでは、１個の面において、４個の辺を「０時方向の辺の左、０時方向の辺の右、III時方向の辺の左、・・・・（中略）・・・・IX時方向の辺の右」の８通りに区別することができる。なお、図７の「Ｎ」は、さいころの６個の面にそれぞれ付された文字であり、具体的には、１、２、３、４、５又は６である。
【００３４】
図８に、図７のさいころを用いて、１〜４の出目を出すルール（random 4）、１〜８の出目を出すルール（random 8）、１〜１２の出目を出すルール（random 12）及び１〜２４の出目を出すルール（random 24）を例示する。いずれのルールも、転がされ停止したさいころに関し、いずれの面を読むかを適宜定める。例えば、停止時に上側を向いた面の数字を読む、といった具合である。また、図８において、太枠で囲んだ数字が出目である。
【００３５】
１〜４の出目を出すルール（random 4）は、０時方向の辺を出目１、III時方向の辺を出目２、VI時方向の辺を出目３、IX時方向の辺を出目４、と読む。
【００３６】
１〜８の出目を出すルール（random 8）は、０時方向右の辺を出目１、III時方向左の辺を出目２、・・・・と読み、IX時方向右の辺を出目７、０時方向左の辺を出目８、と読む。左右の判断を容易にするために、実施例２を用いる。すなわち、さいころを中空とし、さいころの内部に、さいころの中で自由に転がる駒を入れ、かつ、さいころの内側の１２個の各辺の中央付近に小さな凸部を設ける。さいころが着地する際、駒もまたさいころの内部でいずれかの位置に着地するが、凸部があるために、駒はさいころの内側の辺の左右いずれかに偏った位置に着地する。さいころの全体または一部を透明な素材で構成し、着地した駒を外部から見ることができるようにする。
【００３７】
１〜８の出目は、次のように捉えることにより、視覚的に瞬時に出目を判断できる。すなわち、０時方向中心を上と定め、上方向の辺の右側を「１」と読み、引き続いて時計回りに一つの辺あたり２つずつ読み、最後に読む８は、０方向中心の左側にある、といったように捉える。
【００３８】
１〜１２の出目を出すルール（random 12）は、着地の際の傾斜方向とＮの数字を用いる。ただし、着地の際の傾斜方向は、上方向を上と捉えて向かって左方向（IX時方向）であるか右方向（III時方向）であるかの二通りで捉える。傾斜が左方向の場合にはＮそのままの値が出目であり、傾斜が向かって右方向である場合にはＮに６を加えた値を出目とする。
【００３９】
駒が０時方向右、VI時方向右、あるいはIII時方向右または左に着地する場合、いずれも、駒は上方向を上として右側に位置する。また、駒が０時方向左、VI時方向左、あるいはIX時方向右または左に着地する場合、いずれも、駒は上方向を上として左側に位置する。そして、駒の位置は、外部から瞬時に理解できる。
【００４０】
１〜２４の出目を出すルール（random 24）は、着地の際の傾斜方向とＮの数字を用いる。ただし、着地の際の傾斜方向は、０時方向、III時方向、VI時方向、IX時方向、の四通りで捉える。傾斜が０時方向の場合にはＮの値をそのまま読み、III時方向の場合にはＮの値に６を加え、VI時方向の場合にはＮの値に１２（６×２）を加え、IX時方向の場合にはＮの値に１８（６×３）を加える。これにより、図８のrandom 24に示す通り、１〜２４の出目が出る。
【００４１】
１〜４８の出目を出すルール（random 48）を図９に示す。また、図９において、出目を、太枠で囲んで示す。１〜４８の出目を出すルールは、１〜２４の出目を出すルールに、さらにさいころの中の駒の左右位置の条件を加えたものである。すなわち、転がって着地したさいころに関し次の手順で出目を判断する。
【００４２】
（１）上方を向いた面を特定し、上方を向いた面を構成する正方形の上方向を判断する。
（いずれを上方向とするかの判断は、例えば当該正方形にアラビア数字が示してあれば、当該アラビア数字を正しく読む位置に向けた際に（すなわち、アラビア数字が逆さ向きや横向きになる位置ではなく）、上の方向が上方向である。また例えば、当該正方形の上方向とすべき方向に、上方向であることを示す印がある。
【００４３】
（２）上方を向いた面に示された数字（「上方を向いた面に示された数字」とは、数字で示されている場合には数字を意味し、丸等の数で示されている場合は丸等の数を意味する。以下同じ。）を読む。
【００４４】
（３）着地した辺を含む面が上方向から見て0時方向、III時方向、VI時方向、IX時方向、のいずれであるかを判断する。0時方向は「＋０」、III時方向は「＋６」、VI時方向は「＋１２」、IX時方向は「＋１８」を意味する。
【００４５】
（４）さいころ内部の駒が、傾斜して着地した辺を含む面のうち、左右いずれの方向にあるかを判断する。左右の判断は、さいころの中央から見て向かって左側か右側かで判断する。さいころ内部の駒が左側にある場合には「＋０」、右側にある場合には「＋２４」を意味する。
【００４６】
（５）（２）から（４）で得られた値を加えて出目とする。例えば上方を向いた面の数字が４で、着地した辺を含む面が上方向から見てVI時方向でさいころ内部の駒が右側にある場合、「４＋１２＋２４＝４０」の計算により出目は４０となる。
【００４７】
１〜２３０４の出目を出すルール（random 2304）を、図１０〜図１２を用いて説明する。さいころＸとさいころＹの２つのさいころを用いる。転がされ停止した２つのさいころに関し次の通りに出目を読む。
【００４８】
（１）さいころＸ、さいころＹ、双方に関し、上方を向いた面の上方向を判断する。
【００４９】
（２）さいころＸ、さいころＹ、双方に関し、上方を向いた面に示された数字を読む。
【００５０】
（３）さいころＸ、さいころＹ、双方に関し、着地した辺を含む面が上方向から見て0時方向、III時方向、VI時方向、IX時方向、のいずれであるかを判断する。
【００５１】
（４）さいころＸ、さいころＹ、双方に関し、さいころ内部の駒が、傾斜して着地した辺を含む面のうち、左右いずれの方向にあるかを判断する。左右の判断は、さいころの中央から見て向かって左側か右側かで判断する。
【００５２】
（５）さいころＸに関し、0時方向は「＋０」、III時方向は「＋６」、VI時方向は「＋１２」、IX時方向は「＋１８」を意味する。ただし、（８）、（９）及び（１０）の場合を除く。
【００５３】
（６）さいころＸに関し、さいころ内部の駒が左側にある場合には「＋０」、右側にある場合には「＋２５」を意味する。ただし、（８）、（９）及び（１０）の場合を除く。
【００５４】
（７）さいころＹに関し、さいころ内部の駒が、傾斜して着地した辺を含む面のうち、左側にある場合には「＋０」を意味する。右側にある場合には「＋５０」を意味する。
さいころＹに関し、上方を向いた面に示された数字が１の場合、0時方向は「＋０」、III時方向は「＋１００」、VI時方向は「＋２００」、IX時方向は「＋３００」を意味する。
上方を向いた面に示された数字が２の場合、0時方向は「＋４００」、III時方向は「＋５００」、VI時方向は「＋６００」、IX時方向は「＋７００」を意味する。
上方を向いた面に示された数字が３の場合、0時方向は「＋８００」、III時方向は「＋９００」、VI時方向は「＋１０００」、IX時方向は「＋１１００」を意味する。
上方を向いた面に示された数字が４の場合、0時方向は「＋１２００」、III時方向は「＋１３００」、VI時方向は「＋１４００」、IX時方向は「＋１５００」を意味する。
上方を向いた面に示された数字が５の場合、0時方向は「＋１６００」、III時方向は「＋１７００」、VI時方向は「＋１８００」、IX時方向は「＋１９００」を意味する。
上方を向いた面に示された数字が６の場合、0時方向は「＋２０００」、III時方向は「＋２１００」、VI時方向は「＋２２００」を意味するが、IX時方向の場合には、（９）の規則に従う。
【００５５】
（８）さいころＹに関し、（９）の条件を満たす場合、さいころＸの出目の読み方に関し（５）及び（６）の規則に従わない。
【００５６】
（９）さいころＹに関し、上方を向いた面に示された数字が「６」で、着地した辺を含む面が上方向から見てIX時方向で、かつ、さいころ内部の駒が、傾斜して着地した辺を含む面のうち左の方向にある場合には出目を「２５」とする。
さいころＹに関し、上方を向いた面に示された数字が「６」で、着地した辺を含む面が上方向から見てIX時方向で、かつ、さいころ内部の駒が、傾斜して着地した辺を含む面のうち右の方向にある場合には出目を「５０」とする。
【００５７】
（１０）（９）の場合、さいころＸの出目の読み方は次の規則に従う。
さいころＸに関し、さいころ内部の駒が、傾斜して着地した辺を含む面のうち、左側にある場合には「＋０」する。右側にある場合には「＋５０」する。
さいころＸに関し、上方を向いた面に示された数字が１の場合、0時方向は「＋０」、III時方向は「＋１００」、VI時方向は「＋２００」、IX時方向は「＋３００」を意味する。
上方を向いた面に示された数字が２の場合、0時方向は「＋４００」、III時方向は「＋５００」、VI時方向は「＋６００」、IX時方向は「＋７００」を意味する。
上方を向いた面に示された数字が３の場合、0時方向は「＋８００」、III時方向は「＋９００」、VI時方向は「＋１０００」、IX時方向は「＋１１００」を意味する。
以下同様に、上方を向いた面に示された数字が５の場合までは、上方を向いた面に示された数字と、着地した辺を含む面の方向に応じて加算を意味する。
上方を向いた面に示された数字が６の場合、0時方向は「＋２０００」、III時方向は「＋２１００」、VI時方向は「＋２２００」を意味するが、IX時方向の場合には例外とする。
【００５８】
（１）から（１０）に従い、出目とする。
【００５９】
（１）から（１０）に従って得られる出目を図１１に例示する。図１２に、２３０１，２３０２，２３０３，２３０４の出目を示す。
【００６０】
図１２に示す場合を、いずれも控除する規則とすることにより、１〜２３００の出目を出すルール（random2300）とすることができる。
【００６１】
［実施例５］
所定の出目の場合に控除する規則とすることにより、１〜７の出目を出すルール（random 7）、１〜１１の出目を出すルール（random 11）、１〜４９の出目を出すルール（random 49）とすることができる。
【００６２】
すなわち、１〜８の出目を出すルール（random 8）において、「出目が８の時にはやり直し」、というルールにすることにより、１〜７の出目を出すルール（random 7）とすることができる。この場合の控除率は１／８である。
【００６３】
すなわち、１〜１２の出目を出すルール（random 12）において、「出目が１２の時にはやり直し」、というルールにすることにより、１〜１１の出目を出すルール（random 11）とすることができる。この場合の控除率は１／１２である。
【００６４】
すなわち、二つのさいころを転がし、それぞれのさいころに関し、上記（random 7）の規則とすることにより、１〜４９の出目を出すルール（random 49）とすることができる。
【００６５】
［実施例６］
実施例４の、１〜２３０４の出目を出すルール（random 2304）を用いて、さらに次の抽選ルールを用いることにより、１から２３０４の間の任意の数の中から一つを、簡単に抽選できる。抽選の際には、当該任意の数が、抽選対象の総数である。最大数が２３０４と大きいため、日常生活で想定されるほとんどの数を抽選の対象にできる。抽選ルールとは次のとおりである。
（１）１〜２３０４の出目を出すルール（random 2304）を用いて、出目を得る。
（２）出目を当該抽選対象の総数で割る。
（３）余りの数に該当する数を「当選」とする。
例えば、さいころを振って、出目が２０１５であった場合を想定する。１クラスの生徒数３０人、１学年の生徒数５９人、全学年の生徒数１７７人の中学校において、出目が２０１５の場合の当選者を、１クラスから１名、１学年から１名、全学年から１名、のいずれの方法でも選出できる。
１クラスから選出する場合は、２０１５÷３０＝６７余り５なので（控除率２４／２３０４）、クラスの中の５人目が当選者である。何人目であるかの判断は、例えば出席番号で行う（以下同じ）。
１学年から選出する場合は、２０１５÷５９＝３４余り９なので（控除率３／２３０４）、学年中の９人目が当選者である。
全校から選出する場合は、２０１５÷１７７＝１１余り６８なので（控除率３／２３０４）、全校生徒中の６８人目が当選者である。
【符号の説明】
【００６６】
ａ、ｂ、ｃ、ｄ、ｅ、ｆ・・・正六面体を構成する各々の面
ａ１、ａ２、ａ３、ａ４・・・面ａを囲む４個の辺
ｂ１、ｂ２、ｂ３、ｂ４・・・面ｂを囲む４個の辺
ｃ１、ｃ２、ｃ３、ｃ４・・・面ｃを囲む４個の辺
ｄ１、ｄ２、ｄ３、ｄ４・・・面ｄを囲む４個の辺
ｅ１、ｅ２、ｅ３、ｅ４・・・面ｅを囲む４個の辺
ｆ１、ｆ２、ｆ３、ｆ４・・・面ｆを囲む４個の辺
Ａ・・・凸部
Ａ［ａ］・・・面ａの凸部Ａ
Ａ［ｂ］・・・面ｂの凸部Ａ
Ａ［ｃ］・・・面ｃの凸部Ａ
Ａ［ｄ］・・・面ｄの凸部Ａ
Ａ［ｅ］・・・面ｅの凸部Ａ
Ｂ・・・凸部
Ｂ［ａ１］〜Ｂ［ａ４］・・・辺ａ１〜辺ａ４に設けられた凸部Ｂ
Ｂ［ｂ１］〜Ｂ［ｂ４］・・・辺ｂ１〜辺ｂ４に設けられた凸部Ｂ
Ｂ［ｃ１］〜Ｂ［ｃ４］・・・辺ｃ１〜辺ｃ４に設けられた凸部Ｂ
Ｂ［ｄ１］〜Ｂ［ｄ４］・・・辺ｄ１〜辺ｄ４に設けられた凸部Ｂ
Ｂ［ｅ１］〜Ｂ［ｅ４］・・・辺ｅ１〜辺ｅ４に設けられた凸部Ｂ
Ｂ［ｆ１］〜Ｂ［ｆ４］・・・辺ｆ１〜辺ｆ４に設けられた凸部Ｂ
【図１】
2016154746.tif 000003
【図２】
2016154746.tif 000004
【図３】
2016154746.tif 000005
【図４】
2016154746.tif 000006
【図５】
2016154746.tif 000007
【図６】
2016154746.tif 000008
【図７】
2016154746.tif 000009
【図８】
2016154746.tif 000010
【図９】
2016154746.tif 000011
【図１０】
2016154746.tif 000012
【図１１】
2016154746.tif 000013
【図１２】
2016154746.tif 000014
【図１３】
2016154746.tif 000015